(57)【要約】【課題】ＣＤやＤＶＤだけでなく、保証書等、ＣＤ等以外の形状・大きさの収納物も収納可能な第２の収納部を備えたフォルダーにおいて、第２の収納部からの収納物が脱落しにくいフォルダーを提供する。【解決手段】下地１Ａと上地１Ｂが綴じられ収納部３が形成されたフォルダー１であって、上地１Ｂ若しくは下地１Ａには見出し部４が突設されており、上地１Ｂ及び下地１Ａは、少なくとも、見出し部４が突設された辺１Ａｄ、１Ｂｄと対向する辺１ａにおいて互いに綴じられ、上地１Ｂ上にはさらにポケット地５が綴じられて第２の収納部６が設けられ、見出し部４のいずれを支点として挟持された際にも、第２の収納部６の開口部７の端に接続する辺５ａ、５ｄの内、重力方向下側になる辺５ａが、当該開口部７の端側が上側になるように設計されている。【選択図】図１
2008296530.tif 000002
【特許請求の範囲】
【請求項１】
下地と上地が綴じられ収納部が形成されたフォルダーであって、
上地若しくは下地には見出し部が突設されており、
上地及び下地は、少なくとも、見出し部が突設された辺と対向する辺において互いに綴じられ、
上地上にはさらにポケット地が綴じられて第２の収納部が設けられ、
見出し部のいずれを支点として挟持された際にも、第２の収納部の開口部の端に接続する辺の内、重力方向下側に配置される辺が、当該開口部の端側が上側になるように設計された、フォルダー。
【請求項２】
下地及び上地における見出し部が設けられた地は略矩形であり、矩形の地は、見出し部が設けられた第１の辺と、第１の辺の一端と直交する関係の第２の辺と、第１の辺の他端と直交する関係の第３の辺と、第２の辺と第３の辺における第１の辺と接続していない端側を結ぶ第４の辺とで構成され、
少なくとも第４の辺において他の地と綴じられ、
見出し部は、第１の辺における中点よりも第２の辺側を主部として第１の辺から突設され、
第２の収納部は、第１の辺と略平行な第５の辺と、第３の辺と略平行で第５の辺の第３の辺側の端と接続した第７の辺と、第４の辺と略平行で第７の辺の第４の辺側の端と接続した第８の辺と、第５の辺並びに第８の辺の第７の辺と接続していない端を結ぶ第６の辺とで構成され、第５の辺、第７の辺、第８の辺がそれぞれ上地に綴じられ、上地と第６の辺とで構成される開口部から収納物の出し入れが行われるようにされている、請求項１に記載のフォルダー。
【請求項３】
下地及び上地における見出し部が設けられた地は略矩形であり、矩形の地は、見出し部が設けられた第１の辺と、第１の辺の一端と直交する関係の第２の辺と、第１の辺の他端と直交する関係の第３の辺と、第２の辺と第３の辺における第１の辺と接続していない端側を結ぶ第４の辺とで構成され、
少なくとも第４の辺において他の地と綴じられ、
見出し部は、第１の辺における中点よりも第２の辺側を主部として第１の辺から突設され、
第２の収納部は、第１の辺と略平行な第５の辺と、第３の辺と略平行で第５の辺の第３の辺側の端と接続した第７の辺と、第４の辺と略平行で第７の辺の第４の辺側の端と接続した第８の辺と、第５の辺並びに第８の辺の第７の辺と接続していない端を結ぶ第６の辺とで構成され、第６の辺、第７の辺、第８の辺がそれぞれ上地に綴じられ、上地と第６の辺とで構成される開口部から収納物の出し入れが行われるようにされている、請求項１に記載のフォルダー。
【請求項４】
第２の収納部の開口部には、収納部内側に折り曲げられてなる形態の、収納物の脱落を防止する弁が設けられた、請求項１乃至３のいずれか一項に記載のフォルダー。
【請求項５】
第２の収納部は、ＣＤ（コンパクトディスク）やＤＶＤ等の円盤状の収納物が主として収納されるＣＤ収納部であり、
見出し部を挟持された際にＣＤ収納部の開口部に接続する辺の内、重力方向下側になる辺は、当該開口部から６ｃｍの位置並びにその近傍が、見出し部のいずれの位置を支点として挟持された場合にも、当該開口部側が上に位置するよう設計されている、請求項１乃至４のいずれか一項に記載のフォルダー。
【発明の詳細な説明】
【技術分野】
【０００１】
本発明は、上地上にＣＤ（コンパクトディスク）やＤＶＤ等が収納されるポケットである第２の収納部が設けられたフォルダーに関する。
【背景技術】
【０００２】
従来、下地と上地の少なくとも一辺が接合されたり、一枚の基材が折り曲げられて下地と上地にされたりするなどして下地と上地が綴じられて、書類等が収納可能にされたフォルダーが知られている（例えば、非特許文献１を参照。）。このようなフォルダーは、下地と上地とで形成されるポケット（収納部）に、一つの分類の書類やＣＤなどの収納物が納められる。したがって、多数の収納物を、分類ごとに仕分けて保存等するのに好適に用いられる。
【０００３】
一方、１つの分類の収納物であっても、さらに分類して保管したいというニーズもある。例えば、取扱説明書を収納するフォルダーにおいては、上地と下地とで構成されるポケットに取扱説明書の冊子を収納するとともに、これに付属するＣＤやＤＶＤ、保証書等、普段あまり使用しない物は他のポケットに収納したいというニーズが存在する（例えば、非特許文献２を参照。）。
【０００４】
しかし、非特許文献１に開示されたような従来のフォルダーに単にＣＤ収納部を設けただけでは、フォルダー収納器からフォルダーを取り出す際などに収納物が脱落してしまう可能性がある。特に、ＣＤ等の円盤状の収納物を収納した場合、その形状に起因してＣＤ等は極めて脱落しやすい。
【０００５】
これに対して、非特許文献２に開示されたような、入り口がＣＤ等の直径よりも狭いＣＤ収納部とすれば、ＣＤ等の脱落を防止できるが、このようなＣＤ収納部にはＣＤ等、規定の大きさの収納物（直径１２ｃｍの円盤）しか収納することができず、ニーズに完全に応えることはできない。
【非特許文献１】”カットフォルダー（100％再生紙）A4-E  マチ付  3山”、［online］、プラス株式会社、［２００７年５月２８日検索］、インターネット＜ＵＲＬ：http://item.plus.co.jp/search_2007/DispDetail.do?itemID=t000100000922&volumeName=00014&sv10=&searchDataStrings=&sv1=&sv2=&sv3=&sv4=&sv5=&sv6=&sv7=&sv8=&sv9=＞
【非特許文献２】”説明書フォルダー用追加シート（A4サイズ・4シート）”、［online］、エレコム株式会社、［２００７年５月２８日検索］、インターネット＜ＵＲＬ：http://www2.elecom.co.jp/accessory/manual-file/ccd-exp/index.asp＞
【発明の開示】
【発明が解決しようとする課題】
【０００６】
本発明は、上記問題点に鑑みなされたものであり、ＣＤやＤＶＤだけでなく、保証書等、ＣＤ等以外の形状・大きさの収納物も収納可能な第２の収納部を備えたフォルダーにおいて、第２の収納部からの収納物が脱落しにくいフォルダーを提供することを目的とする。
【課題を解決するための手段】
【０００７】
上記目的を達成するために、本発明に係るフォルダーは、下記構成要件を具備する。
（１）下地と上地が綴じられ収納部が形成されている。
（２）上地若しくは下地には見出し部が突設されている。
（３）上地及び下地は、少なくとも、見出し部が突設された辺と対向する辺において互いに綴じられている。
（４）上地上にはさらにポケット地が綴じられて第２の収納部が設けられている。
（５）見出し部のいずれを支点として挟持された際にも、第２の収納部の開口部の端に接続する辺の内、重力方向下側の辺の向きが、当該開口部の端を基準として横方向乃至下方向となるようにされている。すなわち、見出し部が挟持された場合に、開口部と接続する２辺内の下側の辺は、開口部側の端が上側になるように設計されている。
【０００８】
上記フォルダーは、以上の構成を備えているため、見出し部が挟持されて取り扱われる際、第２の収納部の開口部の端に接続する下側の辺にガイドされて収納物が外部へ脱落してしまうことがない。
【０００９】
以上の構成は、以下の構成によっても実現される。
・下地及び上地における見出し部が設けられた地は略矩形とされている。
・矩形の地は、見出し部が設けられた第１の辺と、第１の辺の一端と直交する関係の第２の辺と、第１の辺の他端と直交する関係の第３の辺と、第２の辺と第３の辺における第１の辺と接続していない端側を結ぶ第４の辺とで構成されている。
・少なくとも第４の辺において他の地と綴じられている。
・見出し部は、第１の辺における中点よりも第２の辺側を主部として第１の辺から突設されている。
・第２の収納部は、第３の辺側を主部としている。
・第２の収納部は、第１の辺と略平行な第５の辺と、第３の辺と略平行で第５の辺の第３の辺側の端と接続した第７の辺と、第４の辺と略平行で第７の辺の第４の辺側の端と接続した第８の辺（第５の辺よりも第４の辺側に配置される。）と、第５の辺並びに第８の辺の第７の辺と接続していない端を結ぶ第６の辺とで構成されている。
・第５の辺、第７の辺、第８の辺がそれぞれ上地に綴じられ、上地と第６の辺とで構成される開口部から収納物の出し入れが行われるようにされている。
【００１０】
なお、「主部」とは、上記のように規定された「側」の面積の方が、他の側の面積よりも大きいことをいう。
各辺は略直線とされるが、上記した機能を損なわない範囲で一部又は全部に曲線部を備えていてもよい。
「綴じられる辺」は、完全に全域に渡って綴じられていない構成も含む。すなわち、マチを設けるために辺の両端の一部が綴じられていないような構成も含む。
「辺が綴じられる」とは、物理的に正確な「辺」を綴じた構成のみならず、当該「辺」の内側で熱融着されるなどして綴じられた構成も含む。
【００１１】
また、以下の構成によっても上記構成は実現される。
・下地及び上地における見出し部が設けられた地は略矩形とされている。
・矩形の地は、見出し部が設けられた第１の辺と、第１の辺の一端と直交する関係の第２の辺と、第１の辺の他端と直交する関係の第３の辺と、第２の辺と第３の辺における第１の辺と接続していない端側を結ぶ第４の辺とで構成されている。
・少なくとも第４の辺において他の地と綴じられている。
・見出し部は、第１の辺における中点よりも第２の辺側を主部として第１の辺から突設されている。
・第２の収納部は、第１の辺と略平行な第５の辺と、第３の辺と略平行で第５の辺の第３の辺側の端と接続した第７の辺と、第４の辺と略平行で第７の辺の第４の辺側の端と接続した第８の辺と、第５の辺並びに第８の辺の第７の辺と接続していない端を結ぶ第６の辺とで構成されている。
・第６の辺、第７の辺、第８の辺がそれぞれ上地に綴じられ、上地と第６の辺とで構成される開口部から収納物の出し入れが行われるようにされている。
【００１２】
第２の収納部の開口部には、収納部内側に折り曲げられてなる形態の、収納物の脱落を防止する弁が好適に設けられる。この弁は、ポケット地を折り曲げて形成されたものだけでなく、ポケット地とは別体のものが開口部に熱融着等により綴じられて形成されたもの等も含む。
【００１３】
上記フォルダーは、主としてＣＤ（コンパクトディスク）やＤＶＤ等の円盤状の収納物が主として収納されるＣＤ収納部として好適に採用される。ＣＤ収納部として用いられる場合、見出し部を挟持された際にＣＤ収納部の開口部に接続する辺の内、重力方向下側になる辺は、当該開口部から６ｃｍの位置並びにその近傍が、見出し部のいずれの位置を支点として挟持された場合にも、当該開口部側が上になるように設計されている。ＣＤ等は直径１２ｃｍの円盤であるため、上記位置（開口部から６ｃｍの位置）近傍における上記辺を以上のように構成すれば、ＣＤ等が開口部から外にでてしまうことを防止できる。開口部近傍は前記したように設計されているため、ＣＤ等を含め、収納物が外部に脱落してしまうことも防止される。
【発明の効果】
【００１４】
上記説明からも明らかなように、本発明によれば、第２の収納部からの収納物が脱落しにくいフォルダーを提供することができる。
【発明を実施するための最良の形態】
【００１５】
以下、本発明の実施の形態に係るフォルダーを、図面を参照しながら詳細に説明する。
【実施例１】
【００１６】
図１は、本実施の形態に係る第１のフォルダー１を説明するための正面図である。フォルダー１は、１枚のポリプロピレン製のシートが辺１ａにて折り曲げられ下地１Ａと上地１Ｂとされている。言い換えると、下地１Ａと上地１Ｂは、辺１ａにおいて綴じられている。辺１ａの一端側に接続する下地１Ａの辺１Ａｃと上地１Ｂの辺１Ｂｃとは熱融着によって綴じられている。辺１ａと対向する下地１Ａの辺１Ａｄと上地１Ｂの辺１Ｂｄも熱融着によって綴じられている。上地１Ｂのその他の辺１Ｂｂは、直線部と曲線部とで構成される形状となっており、下地１Ａとは接続していない。すなわち、フォルダー１は、３辺が綴じられ、辺１Ｂｂと下地１Ａとで構成される開口部２から収納物の出し入れが行われる収納空間（収納部）３が形成されている。
【００１７】
下地１Ａにおける辺１Ａｄには、見出し部４が設けられている。見出し部４は、棚等のフォルダー収納用の什器やフォルダー収納ボックス等のフォルダー収納器に収納された状態から取り出される際の持ち手（取り出し部）として機能すると共に、見出しが記載されたり見出しが記載されたシールが貼られるなどして、当該フォルダーに収納されている収納物に関する情報が記載されるインデックスとして機能する。
【００１８】
上地１Ｂ上には、ポケット地５が綴じられている。ポケット地は、上地１Ｂの辺１Ｂｄ側の辺５ｄと、辺１Ｂｃ側の辺５ｃと、辺１ａ側の辺５ａとがそれぞれ上地１Ｂと熱融着されて綴じられている。左記以外の辺５ｂは上地１Ｂに綴じられていない。すなわち、辺５ｄ、５ｃ、５ａが綴じられ、辺５ｂ側から収納物の出し入れが行われる第２の収納空間（第２の収納部）６が形成されている。
第２の収納部開口部７に接続する辺５ａは、辺５ｂ、すなわち第２の収納部開口部７に直交している。
【００１９】
フォルダー１は、フォルダー収納器から取り出される際など、見出し部４のいずれかの位置を支点として挟持された場合であっても、第２の収納部の開口部７に接続する辺の内、重力方向下側の辺５ａが開口部７側に重力方向上向き〜横向きのいずれかの向きを向く。例えば、図２に示すように、見出し部４における辺１Ａｂ側（フォルダーの端側）を挟持された場合、辺５ａは重力方向ほぼ上向きであるＤ１の方向を向く。図３に示すように、見出し部４における辺１Ａｂの中点側を挟持された場合でも、辺５ａは重力方向ほぼ横向きであるＤ２の方向を向く。
【００２０】
このように、見出し部４のいずれの位置を挟持されても、第２の収納部開口部７に接続する、見出しが設けられた側の辺５ｄに対向する辺５ａは、第２の収納部開口部７側が重力方向横方向〜上方向のいずれかの方向を向くように設定されている。したがって、見出し部４が挟持されて取り扱われる際に、当該辺５ａに収納物がガイドされて第２の収納部開口部７まで案内されて脱落するということがない。
【００２１】
なお、見出し部４が挟持された際に収納物が当接されてこれをガイドする辺（上記例では５ａ）は直線でなくともよい。この場合であっても、見出し部４のいずれの位置を支点として挟持された場合であっても、少なくとも第２の収納部開口部７と接する端における接線方向が重力方向横向き〜上向きになるように設計される。好ましくは、この端近傍の各点においても同様の関係になるように設計される。
【００２２】
フォルダーは、図４に示すように設計することもできる。図４に示すフォルダー１は、見出し部４が設けられた辺１Ａｄ、１Ｂｄ側に第２の収納部開口部７が設けられている。言い換えると、見出し部４が設けられた１Ａｄの一端と直交する辺１Ｂｄ側の辺５ｃと、辺１ａ側の辺５ａと、辺１Ｂｂ側の辺５ｂがそれぞれ上地１Ｂと熱融着され綴じられ、辺５ｄと上地とで構成される開口部７から収納物の出し入れが行えるようにされている。ポケット地５は略矩形であり、辺５ｄと辺１Ａｄとは略平行である。
【００２３】
このフォルダー１は、図５に示すように、見出し部４における辺１Ａｄの中点側の一点を挟持された場合、辺５ｃは、重力方向ほぼ上側のＤ３方向を向くこととなる。図６に示すように、辺１Ａｄにおける見出し部４が設けられている方向の端を挟持された場合、辺５ｃは、重力方向ほぼ横側のＤ４方向を向くこととなる。したがって、見出し部４のいずれの位置を挟持されて取り扱われても、第２の収納部開口部７と接する辺５ｂ、５ｃの内、見出し部４から遠い側の辺５ｃが、当該開口部７との交点を基準として重力方向横方向〜下方向に向く。つまり、辺５ｃが収納物を当該収納部６内側方向（当該開口部７に対向する辺５ａ方向）へガイドするため、第２の収納部開口部７からの収納物の脱落を効果的に防止することができる。
【００２４】
第２の収納部６は、極めて良好な収納物脱落防止性能を備えているため、好適にはＣＤ等が収納されるＣＤ収納部とされる。ＣＤ等は円盤状であることから、第２の収納部開口部に接する辺であって重力方向下側の辺にガイドされて収納部内を動き、脱落する可能性が高い。これに対し、第２の収納部６は、上記したように設計されているため、見出し部を挟持されて取り扱われる際、開口部に接する辺の内、見出し部から遠い側に配置された辺にガイドされてＣＤ等が脱落することが防止されているからである。
【００２５】
第２の収納部６をＣＤ収納部として用いる場合、脱落を防止するだけでなく、ＣＤ収納部からＣＤ等の一部が外に出てしまうことを防止するため、辺５ａの第２の収納部開口部から６ｃｍの位置及びその近傍を含む領域が、見出し部のいずれの位置が挟持された場合であっても、第２の収納部開口部７側が重力方向上側になるように設計することが望ましい。
【００２６】
なお、収納物脱落防止性能をより高くするために、図７に示すように、第２の収納部開口部７の先端が内側に折られてなる形態の弁８が形成される。弁８は、第２の収納部６内において開口部７にまで移動してきた収納物を、弁８とポケット地５との間に導入し、弁８とポケット地５との接合部において移動を規制して脱落を防止する。したがって、上記した見出し部４と第２の収納部開口部７との位置関係の設定による収納物脱落防止性能と相まって、収納物の脱落を極めて良好に防止する。
【００２７】
その他、本発明の本旨を変更しない範囲において上記実施形態に係るフォルダー１を適宜変更することができる。
例えば、図８に示すように、見出し部４が設けられるフォルダー上の辺１Ａｄ（見出し部４が下地１Ａと一体整形されている場合においては、見出し部４と下地１Ａとの境界線も含んだ辺）の中点を通る垂線を基準として、見出し部４は一方の側を主部とし、第２の収納部６は他方の側を主部とするよう形成してもよい。主部とは、その側（一方の側若しくは他方の側）の面積が他方の側の面積よりも大きいことを意味する。言い換えれば、見出し部４は、一方の側である辺１Ａｂが存する側の面積が、辺１Ａｃが存する側の面積よりも大きく設定され、第２の収納部６はその逆に設定されている。このように構成すれば、見出し部４と第２の収納部６は重心を基準として略対称な方向に位置することとなるため、見出し部４が挟持された場合に、第２の収納部６は見出し部４よりも重力方向下方向に位置することとなる。したがって、このように挟持された状態において第２の収納部開口部７が向く方向が上方向乃至横方向のいずれかになるように、例えば辺１Ａｄ側若しくは辺１Ａｂ側に方向を設定すれば、良好な脱落防止性能を得ることができる。
【００２８】
下地１Ａと上地１Ｂとは、見出し部４が設けられる辺１Ａｄと対向する辺１ａのみで綴じられる（接続する）ように構成することもできる。このようないわゆる紙挟みの場合、下地１Ａと上地１Ｂとが綴じられた状態において第２の収納部の脱落防止性能が得られる位置に第２の収納部開口部７を設ければよい。
【００２９】
見出し部は、下地から突設された、下地と一体整形されたものに限定されず、下地と別体整形されたものであってもよく、上地に突設されていてもよい。いずれのように見出し部が形成される場合であっても、見出し部が突設される側の「フォルダー」における辺（上地の辺と下地の辺のいずれか長い辺）を基準として、見出し部、第２の収納部開口部の位置を前記したように設定すればよい。
【図面の簡単な説明】
【００３０】
【図１】本実施の形態に係るフォルダー１を説明するための正面図である。
【図２】図１に示すフォルダー１の見出し部４が挟持された状態の様子を示した第１の図である。
【図３】図１に示すフォルダー１の見出し部４が挟持された状態の様子を示した第２の図である。
【図４】本実施の形態に係る別のフォルダーを説明するための正面図である。
【図５】図４に示すフォルダーの見出し部４が挟持された状態の様子を示した第１の図である。
【図６】図５に示すフォルダーの見出し部４が挟持された状態の様子を示した第２の図である。
【図７】本実施の形態に係る別のフォルダーを説明するための正面図である。
【図８】本実施の形態に係る別のフォルダーを説明するための正面図である。
【符号の説明】
【００３１】
１：フォルダー
１Ａ：下地
１Ｂ：上地
２：開口部
３：収納部
４：見出し部
５：ポケット地
６：第２の収納部
７：第２の収納部の開口部
８：弁
【図１】
2008296530.tif 000003
【図２】
2008296530.tif 000004
【図３】
2008296530.tif 000005
【図４】
2008296530.tif 000006
【図５】
2008296530.tif 000007
【図６】
2008296530.tif 000008
【図７】
2008296530.tif 000009
【図８】
2008296530.tif 000010